(57)【要約】【課題】点検等すべき部位や書き換えすべきメモリがメイン制御基板の裏面側にあるときでも、その点検等やメモリ内容の書換えの作業を従来より簡単、容易に行える遊技機用表示装置を提供する。【解決手段】表示部（３、４）と、該表示部の動作を制御するメイン制御基板（２）と、該表示部及びメイン制御基板を取付け支持する装置基盤（１）を有し、メイン制御基板（２）は、基板上端部側で装置基盤（１）に回動可能に連結され、基盤（１）に対する正規の取付け位置（Ｐ１）と基板下端部が該装置基盤から遠ざかる手前側へ回動されつつ持ち上げられて基板裏面側が露出せしめられる基板裏面露出位置（Ｐ２）との間を回動可能であり、メイン制御基板（２）を基板裏面露出姿勢（Ｐ３）に維持する機構（６）も備えている遊技機用表示装置１０。【選択図】      図５
2005124596.tif 000002
【特許請求の範囲】
【請求項１】
遊技場における遊技機の上部又は上方に設置される遊技機用表示装置であり、表示部と、該表示部の動作を制御するメイン制御基板と、該表示部及びメイン制御基板を取付け支持する装置基盤を有しており、前記メイン制御基板は、基板の上下左右の端部のうちいずれかの端部で前記装置基盤に回動可能に連結され、該装置基盤に対する正規の取付け位置と該回動可能に連結された基板端部とは反対側の基板端部が該装置基盤から遠ざかる手前側へ回動されて基板裏面側が露出せしめられる基板裏面露出位置との間を回動可能であることを特徴とする遊技機用表示装置。
【請求項２】
前記メイン制御基板を基板裏面露出姿勢に維持する機構を備えている請求項１記載の遊技機表示装置。
【請求項３】
前記メイン制御基板は上端部又は下端部が前記装置基盤に回動可能に連結されており、前記メイン制御基板を前記基板裏面露出姿勢に維持する前記機構は該メイン制御基板を前記正規取付け位置と基板裏面露出位置との間に回動させるための機構を兼ねており、前記メイン制御基板の前記装置基盤に回動可能に連結される上端部又は下端部の左右端部のそれぞれから左右方向へ突出する断面形状が偏平な偏平軸と、該各偏平軸に対応させて前記装置基盤に設けた軸受け部とを含んでおり、該各軸受け部は、前記偏平軸を受け入れて該軸の回動を許容する軸回動用空間部と、該軸回動用空間部に連通する凹所であって該偏平軸を該軸回動用空間部から嵌めて回動不能に保持する凹所とを備えており、前記メイン制御基板は、前記偏平軸が前記軸受け部の前記凹所に嵌入することで前記基板裏面露出姿勢に維持され、該軸受け部の軸回動用空間部に配置されることで前記正規取付け位置と基板裏面露出位置との間を往復回動可能である請求項２記載の遊技機用表示装置。
【請求項４】
前記各軸受け部は、前記偏平軸を該軸受け部の前記軸回動用空間部へ脱離可能に挿入するための、該軸回動用空間部に外部から連通する軸挿脱用通路を有している請求項３記載の遊技機用表示装置。
【請求項５】
前記メイン制御基板は外部からのハーネスの接続用コネクタが基板裏面側に搭載されている請求項１から４のいずれかに記載の遊技機用表示装置。
【請求項６】
前記メイン制御基板は、書換え可能のメモリを含む制御用マイクロコンピュータを有しており、該書換え可能メモリの内容を書き換えるためのラインを接続するためのコネクタが基板裏面側に搭載されている請求項１から５のいずれかに記載の遊技機用表示装置。
【発明の詳細な説明】
【技術分野】
【０００１】
本発明はパチンコ機、パチスロ機等の遊技機に用いる、一般にナンバランプ等と称されている遊技機用表示装置に関する。
【背景技術】
【０００２】
パチンコ機、パチスロ機等の遊技機を備えた遊技場においては、各遊技機の上部又はその上方の部材にナンバランプ等と通称されている表示装置が設置されている。かかる遊技機用表示装置は、通常、トラブル等が生じたときに遊技者が店員を呼び出すための呼び出しスイッチの他、遊技機等に関する各種情報（例えば、その遊技機における大当たり、大当たり回数、各種履歴、不正行為等）を表示する表示部及び該表示部の動作を制御する制御基板等を備えている。
【０００３】
これら表示装置は、使用を重ねるうちに動作不良を起こす場合があり、また、動作不良とは関係ないが、通常メイン制御基板に搭載されているマイクロコンピュータのメモリ内容をソフトの変更等のために書き換える必要が生じる場合もある。このような場合、作業員が表示装置のカバーを取り外し、制御基板等を点検し、必要な修理、部品交換等を行ったり、メモリ内容の書換え処理を行ったりする。
【発明の開示】
【発明が解決しようとする課題】
【０００４】
しかしながら、かかる作業は装置カバーを取り外すだけで行える場合ばかりとは限らない。点検等すべき部位が、装置カバーを取り外しただけではアクセスできない制御基板の裏面側、特に多くの部品を搭載したメイン制御基板の裏面側に搭載されている場合には、ネジ留めや、外し難い係合手段等により装置基盤に固定されている該制御基板を一々装置基盤から取り外さなければならず、その取り外し作業は表示装置が遊技機の上部や上方という高所にあることも影響して手間を要するし、点検等終了後の再取付けにも手間を要する。
【０００５】
また、取り外したメイン制御基板を、それに接続されている各種ライン（ハーネス、電線等）をそのままにして、それらでぶら下げた状態で点検等の作業をするときには、不安定な状態で作業をしなければならず、そのような作業は、正確性や迅速性が要求される作業上好ましくない。そこで、取り外した制御基板を、例えば一般に行われているように、遊技機本体前側に付設された灰皿等を有する棚部分に載置する場合には、該棚部分は狭いので、取り外した制御基板を安定的に載置して安定した状態で該基板に対し作業を行う、ということが困難なことがある。
【０００６】
そこで本発明は、点検等すべき部位や書き換えすべきメモリがメイン制御基板の裏面側にあるときでも、その点検等やメモリ内容の書換えの作業を従来より簡単、容易に行える遊技機用表示装置を提供することを課題とする。
【課題を解決するための手段】
【０００７】
前記課題を解決するため本発明は、
遊技場における遊技機の上部又は上方に設置される遊技機用表示装置であり、表示部と、該表示部の動作を制御するメイン制御基板と、該表示部及びメイン制御基板を取付け支持する装置基盤を有しており、前記メイン制御基板は、基板の上下左右の端部のうちいずれかの端部で前記装置基盤に回動可能に連結され、該装置基盤に対する正規の取付け位置と該回動可能に連結された基板端部とは反対側の基板端部が該装置基盤から遠ざかる手前側へ回動されて基板裏面側が露出せしめられる基板裏面露出位置との間を回動可能である遊技機用表示装置を提供する。
【０００８】
ここで「メイン制御基板」とは、表示部の動作を制御する主たる部品、回路等を備えた主たる基板である。本発明に係る表示装置はメイン制御基板の他に、例えば表示用ランプ、表示用ディスプレイ等を搭載した基板を含んでいてもよい。制御基板を１枚だけ有している場合はそれがメイン制御基板である。
【０００９】
この表示装置によると、点検、修理、部品交換等すべき部位がメイン制御基板の裏面側にあるときでも、該メイン制御基板の装置基盤に回動可能に連結された端部とは反対側の端部を装置基盤から遠ざかる手前側へ回動させて該基板裏面側を簡単に露出させることができ、その基板裏面露出状態において該基板を装置基盤に連結したまま、換言すれば、装置基盤に支持させたまま、それだけ安定した状態で、基板裏面側の点検等対象部位に対し必要な作業を行える。また、制御基板裏面側に内容書換え対象のメモリがあるときでも、該メモリに対する書換え作業も同様に行える。従って点検等やメモリ内容の書換えの作業をそれだけ容易に行える。作業終了後は、該メイン制御基板を回動させて簡単に正規取付け位置へ戻すことができる。
【００１０】
本発明に係る遊技機用表示装置は、メイン制御基板裏面側に対する点検等の作業をより容易に行えるように、メイン制御基板を基板裏面露出姿勢に維持する機構を備えていてもよい。かかる機構は、該メイン制御基板を前記正規取付け位置と基板裏面露出位置との間に回動させるための機構を兼ねていてもよい。
【００１１】
そのような機構として次のものを例示できる。すなわち、先ず、前記メイン制御基板を上端部又は下端部で前記装置基盤に回動可能に連結する。そして、該機構は、前記メイン制御基板の前記装置基盤に回動可能に連結される上端部又は下端部の左右端部のそれぞれから左右方向へ突出する断面形状が偏平な偏平軸と、該各偏平軸に対応させて前記装置基盤に設けた軸受け部とを含むものとし、該各軸受け部は、前記偏平軸を受け入れて該軸の回動を許容する軸回動用空間部と、該軸回動用空間部に連通する凹所であって該偏平軸を該軸回動用空間部から嵌めて回動不能に保持する凹所とを有するものとし、前記メイン制御基板は、前記偏平軸が前記軸受け部の前記凹所に嵌入することで前記基板裏面露出姿勢に維持され、該軸受け部の軸回動用空間部に配置されることで前記正規取付け位置と基板裏面露出位置との間を往復回動できるようにする。
【００１２】
偏平軸はその断面形状における長手方向を上下に向けて前記凹所に嵌入できるようにしておくことが、凹所に嵌入した偏平軸の回動を、従ってメイン制御基板の回動をより確実に阻止するうえで好ましい。
【００１３】
前記各軸受け部は、前記偏平軸を該軸受け部の前記軸回動用空間部へ脱離可能に挿入するための、該軸回動用空間部に外部から連通する軸挿脱用通路を有していてもよい。
このような軸受け部を採用することで、必要に応じメイン制御基板を前記偏平軸ごと軸受け部から取り外すこともできる。
【００１４】
いずれにしても、前記偏平軸として、断面形状が長方形状のものや略長方形状のものを例示できる。断面形状が略長方形状の偏平軸としては、短円柱を、その中心軸線を間に挟んで該中心軸線と平行且つ互いに平行な一対の平面に沿って切断して得られる該中心軸線を含む部分（側周面が二つの平行な平坦面とそれら平坦面に連続する二つの対向する凸円弧面からなる部分）の形態のものを例示できる。
【００１５】
断面形状が長方形状や略長方形状の偏平軸を採用する場合、前記軸受け部における軸回動用空間部の内面を該偏平軸が摺動回動できる凹円弧面に形成してもよい。また、前記凹所の幅は、前記偏平軸がその断面形状における長手方向を上下方向に向けて該凹所に丁度嵌入できる程度の幅とすることが好ましい。前記軸挿脱用通路の幅も同程度とすることができる。
【００１６】
また、前記軸受け部における軸回動用空間部の内面を偏平軸が摺動回動できる凹円弧面に形成し、偏平軸として前記のように側周面が二つの平行な平坦面とそれら平坦面に連続する二つの対向する凸円弧面からなるものを採用する場合、軸回動用空間部の円弧内面の円弧の曲率半径を偏平軸の円弧面の円弧の曲率半径と略一致させてもよい。そのように構成することで、偏平軸はガタ付きが抑制される状態で該空間部内で円滑に回動できる。        
【００１７】
前記メイン制御基板としては、遊技機本体からの信号入力や電源供給等のための外部からのハーネスを接続するハーネス接続用コネクタが基板裏面側に搭載されているものを例示できる。このようなハーネス接続用コネクタが基板裏面側に搭載されているメイン制御基板であっても、前記のとおり該制御基板を回動させて基板裏面露出位置に位置させることができるので、該ハーネスの取り外しや交換を簡単容易に行える。
【００１８】
前記メイン制御基板としては、書換え可能のメモリを含む制御用マイクロコンピュータを有し、該書換え可能メモリの内容を書き換えるためのライン（ハーネス、電線等）を接続するためのコネクタが基板裏面側に搭載されているものも例示できる。ライン接続用コネクタが基板裏面側に搭載されているメイン制御基板であっても、前記のとおり該制御基板を回動させて基板裏面露出位置に位置させることができるので、メモリ内容の書換え（データ変更等）を簡単容易に行える。
【発明の効果】
【００１９】
以上説明したように本発明によると、点検等すべき部位や書き換えすべきメモリがメイン制御基板の裏面側にあるときでも、その点検等やメモリ内容の書換えの作業を従来より簡単、容易に行える遊技機用表示装置を提供することができる。
【発明を実施するための最良の形態】
【００２０】
以下本発明に係る遊技機用表示装置の１例について図面を参照して説明する。
図１は表示装置全体の概略正面図、図２は図１の装置から装置カバーを取り外した状態の概略正面図、図３は図１の装置から装置カバー並びにメイン制御基板及びメイン表示部を取り外した状態の概略正面図である。図４は図２のＸ−Ｘ線に沿う概略断面図である。但し、図４は、一部の図示を省略し、主としてメイン制御基板とそれに搭載されたメイン表示部を回動させ、メイン制御基板の裏面側を露出させるための機構を抽出して示している。図５はメイン制御基板を図４に示す状態から持ち上げ回動させて基板裏面を露出させている状態を示しており、図６は図１に示す表示装置の使用例を示している。
【００２１】
図示の表示装置１０は、装置基盤１（図２等参照）、メイン制御基板２（図２、図４等参照）、メイン制御基板２に搭載されたメイン表示部３（図２等参照）、基板２及び表示部３の左右に配置されたランプ表示部４（図２等参照）、装置カバー５（図１参照）等を有している。メイン制御基板２、これに搭載されたメイン表示部３及び左右のランプ表示部４は装置基盤１に取付け支持されている。装置カバー５は、装置基盤１に対し着脱可能であり、基盤１への装着状態で、メイン制御基板２、メイン表示部３及び左右のランプ表示部４等を覆う。
【００２２】
なお、図１において５１は装置カバー５に設けた係合用爪部であり、図２等において１２は基盤１に設けた係合用孔であり、カバー５は、その爪部５１を基盤１の係合用孔１２に嵌合係合させることで脱離可能に基盤１に装着される。
【００２３】
メイン制御基板２には表示部３、４の動作を制御するための各種部品及び回路が搭載されており、これらのうち殆どのものは基板２の裏面側に搭載されている。これらのうち基板２の表側のものは図示を省略し、基板裏面側のものは後述する一部のもの（コネクタ２１、２２）を除いて一つのブロック２Ａで纏めて図示してある（図４等参照）。
【００２４】
メイン制御基板２は表側の表示部支持部材２０を含んでおり（図４等参照）、メイン表示部３は該部材２０に搭載されることでメイン制御基板２に搭載されている。メイン表示部３は表示部基板３１とこれに重ねて設けられた、各種表示を文字表示、記号表示等で行うディスプレイ部３２とからなる。これらの詳細の図示は省略する。
左右の各ランプ表示部４は表示部基板４１に発光ダイオード４２を配設したものである。基板４１は後述するハーネスＨ３接続用のコネクタ４１１も有している。
【００２５】
図４等に示すように、メイン制御基板２はその裏面側に遊技機本体からの信号入力や電源供給等のための、外部からのハーネスＨ１を接続するハーネス接続用のコネクタ２１を有しているとともに、基板２に搭載された制御用マイクロコンピュータ（図示省略）の書換え可能メモリの内容を書き換えるためのライン（ハーネス、電線等）を接続するためのコネクタ２２を有している。さらに、この基板２とメイン表示部基板３１とを接続するハーネスＨ２を接続するための図示省略のコネクタを有している。
【００２６】
一方、メイン表示部３の基板３１には、図２等に示すように、前記ハーネスＨ２を接続するコネクタ３１１及び基板３１を左右の各表示部基板４１と接続するためのハーネスＨ３を接続する左右のコネクタ３１２が搭載されている。さらに、呼出し用スイッチＳＷ１が搭載されているとともに、表示部基板３１と基盤１上のスイッチＳＷ２とを接続するハーネスＨ４を接続するためのコネクタ３１３が搭載されている。
【００２７】
スイッチＳＷ２は、遊技機本体の過去の大当たり回数及び確率変動の履歴、現状でのスタート回数の累計等のデータ表示を指示する、所謂十字キー型のスイッチである。スイッチＳＷ２はこれに嵌められて一部がカバー５の外へ露出する操作ボタンＢ２（図１参照）にて操作される。また、スイッチＳＷ１はカバー５に設けた押しボタンＢ１（図１参照）にて操作される。
【００２８】
前記のメイン制御基板２の上端部の左右各端部から偏平軸６１が左右方向に突出している。偏平軸６１はメイン制御基板２における表示部支持部材２０と一体的に合成樹脂成形にて形成されている。偏平軸６１はいまから説明する機構６、すなわち、メイン制御基板２を装置基盤１への正規取付け位置Ｐ１（図４参照）と基板２の裏面側を露出させる基板裏面露出位置Ｐ２（図５参照）との間に往復回動させるための機構及びメイン制御基板２を基板裏面露出姿勢Ｐ３（図４参照）に維持する機構の双方を兼ねる機構６の一員である。
【００２９】
基板回動及び姿勢維持のための機構６は、かかる左右の偏平軸６１と、各偏平軸６１に対応して装置基盤１に立設された軸受け部６２とからなっている。軸受け部６２は装置基盤１と一体的に合成樹脂成形にて形成されている。
【００３０】
各偏平軸６１は、図４に示すように、断面形状が略長方形状のもので、さらに言えば、その周面が一対の互いに対向する平行な平坦面ａとそれら平坦面を繋ぐ一対の互いに対向する凸円弧面ｂとからなる軸である。
【００３１】
各軸受け部６２は、偏平軸６１を受け入れて該軸の回動を許容する軸回動用空間部Ａと、該空間部Ａに連通する凹所であって偏平軸６１を空間部Ａから落とし嵌めて回動不能に保持する凹所Ｂとを備えており、さらに、偏平軸６１を空間部Ｂへ脱離可能に挿入するための、該空間部に外部から連通する軸挿脱用通路Ｃを有している。
【００３２】
各軸受け部６２における空間部Ａの内面は凹円弧面に形成されており、該凹円弧面の円弧の曲率半径は、偏平軸６１の凸円弧面ｂの円弧の曲率半径に略一致している。従って、偏平軸６１は空間部Ａに配置されたとき、ガタ付き少なく円滑に回動できる。
【００３３】
また、凹所Ｂの幅ｗは偏平軸６１の断面における短手方向の幅より僅かに広い程度であり、偏平軸６１をその断面の長手方向を上下方向に向けて、換言すれば偏平軸周面のうち一対の平坦面ａを上下方向に向けて凹所Ｂへ嵌めることができる。通路Ｃの上下方向の幅も凹所幅ｗと略同程度である。
【００３４】
以上説明した機構６により、メイン制御基板２はその上端部側で装置基盤１に回動可能に連結され、装置基盤１と平行状姿勢となる基盤１に対する正規の取付け位置Ｐ１と基板下端部が装置基盤１から遠ざかる手前側へ回動されつつ持ち上げられて基板裏面側が露出せしめられる基板裏面露出位置Ｐ２との間を往復回動可能である。
【００３５】
さらに説明すると、偏平軸６１が軸受け部６２の軸回動用空間部Ａに配置されることで制御基板２を装置基盤１に対する正規取付け位置Ｐ１と基板裏面露出位置Ｐ２との間に往復回動させることができる。
【００３６】
また図５に示すように、メイン基板２を位置Ｐ２に配置した状態で偏平軸６１を空間部Ａから凹所Ｂへ落とし嵌めることができ、そうすることで、偏平軸６１の回動が阻止され、それにより基板２は基板裏面露出姿勢Ｐ３に維持される。偏平軸６１を基板２ごと凹所Ｂから持ち上げて空間部Ａに配置することで、基板２を下降回動させて正規の取付け位置Ｐ１へ戻すこともできる。
【００３７】
また、偏平軸６１は空間部Ａに連通する通路Ｃを介して空間部Ａに対し挿脱可能であり、従って、メイン制御基板２及びこれに搭載されたメイン表示部３を軸受け部６２に対して、ひいては装置基盤１に対し着脱することも可能である。
【００３８】
メイン制御基板２を位置Ｐ１から位置Ｐ２へ回動させるときや、メイン制御基板２を装置基盤１から取り外すときには、前記ハーネスＨ１、Ｈ３、Ｈ４のそれぞれを、必要に応じ、ハーネス端部が接続されたコネクタの一方又は双方から外せばよい。
【００３９】
メイン制御基板２を正規位置Ｐ１に配置した状態では、装置基盤１に一体的に立設形成した係合爪１１を基板２上の表示部支持部材２０と一体的に形成した雌係合部２０１の孔に係合させて基板２を位置Ｐ１に保持することができ、係合爪１１を左右方向外側へ撓ませて係合部２０１から外すこともできる。位置Ｐ１に置かれる基板２は装置基盤１に立設したストッパ１５に当接して位置決めされる。
【００４０】
以上説明した遊技機用表示装置１０は、図６に例示するように、遊技場におけるパチンコ機、パチスロ機等の遊技機１００の例えば上方の部材１０１に取り付けて使用することができる。装置１０の取付けは、装置カバー５を装置基盤１から外した状態で該基盤１を、その両端部のネジ通し孔１３（図２等参照）に通したネジ等の適当な固定手段で上方部材１０１に取付け固定するとともに、遊技機１００からの各種信号線や電源ライン等を含むハーネスＨ１を装置基盤１の裏側から基盤１の孔１４（図３等参照）に通して基盤１の表側へ導き、メイン制御基板２のハーネスコネクタ２１に接続し、その後にカバー５を被せて基盤１に装着することで行える。
【００４１】
なお、装置カバー５は、図１に示すように、メイン表示部３のディスプレイ部３２を観察するための透明板付きの窓部５３、左右のランプ表示部４のランプの点灯、点滅等を観察するための透光性の部分５４１〜５４６等も備えている。図１において装置カバーにおける５２は装置カバー内側に設けた仕切り部である。
【００４２】
この表示装置１０によると、制御基板２等の点検、必要な修理、部品交換（例えばハーネスＨ１の交換）等や、基板上メモリ内容の書換え処理等の作業は装置カバー５を取り外して行う。
かかる作業は、点検、修理、部品交換等すべき部位や内容書換え対象のメモリがメイン制御基板２の裏面側にあるときでも、メイン制御基板２の下端部を装置基盤１から遠ざかる手前側へ基板裏面露出位置Ｐ２へと回動持ち上げし、さらに必要に応じ基板裏面露出姿勢Ｐ３を機構６にて維持させて安定した状態で行うことができる。
【００４３】
このように、基板裏面露出状態において基板２を装置基盤１に連結したまま、換言すれば、装置基盤１に支持させたまま、それだけ安定した状態で、基板裏面側の点検等対象部位に対し必要な作業を行える。従って点検等の作業やメモリ内容の書換え作業をそれだけ容易に行える。また、メイン制御基板２を装置基盤１に連結したまま基板裏面側の点検等対象部位に対し必要な作業を行え、そうすることで、メイン制御基板２を例えば隣りの遊技機のものと取り違えるというような恐れがなくなる。点検等終了後は、メイン制御基板２等を回動させて簡単に正規取付け位置Ｐ１へ戻すことができる。
【００４４】
以上説明した表示装置１０ではメイン制御基板２はその上端部側で装置基盤１に回動可能に連結するようにしたが、下端部側で基盤１に回動可能に連結してもよく、また左右いずれかの端部側で基盤１に回動可能に連結してもよい。基板回動及び姿勢維持のための機構は前記の機構６に限定されない。メイン制御基板２をその下端部側で装置基盤１に回動可能に連結する場合、例えば、前記機構６における偏平軸６１をメイン制御基板２の下端部側で表示部支持部材２０と一体的に、且つ、必要に応じて向きを変更して形成するとともに、軸受け部として軸受け部６２を上下逆向きにしたような軸受け部を該偏平軸に対応させて基盤１に立設し、これら偏平軸と軸受け部とで基板回動及び姿勢維持のための機構を構成することができる。
なお、基板回動のための機構は姿勢維持のための機構を兼ねていなくてもよい。
【産業上の利用可能性】
【００４５】
本発明はパチンコ機、パチスロ機等の遊技機用の表示装置に適用でき、該表示装置に内蔵された制御基板に対する点検等を従来より簡単、容易に行うことを可能にする。
【図面の簡単な説明】
【００４６】
【図１】遊技機用表示装置の１例の全体概略正面図である。
【図２】図１の表示装置から装置カバーを取り外した状態の概略正面図である。
【図３】図１の装置から装置カバー並びにメイン制御基板及びメイン表示部を取り外した状態の概略正面図である。
【図４】図２のＸ−Ｘ線に沿う概略断面図である。但し、一部の図示を省略し、主としてメイン制御基板とそれに搭載されたメイン表示部を回動させ、メイン制御基板の裏面側を露出させるための機構を抽出して示している。
【図５】メイン制御基板を図４に示す状態から持ち上げ回動させて基板裏面を露出させた状態を示す図である。
【図６】図１に示す表示装置の使用例を示す図である。
【符号の説明】
【００４７】
１０  遊技機用表示装置
１    装置基盤
１１  係合爪
１２  係合用孔
１３  ネジ通し孔
１４  ハーネス等の通し孔
１５  ストッパ
２    メイン制御基板
２Ａ  基板２に搭載された部品等を纏めて示すブロック
２０  表示部支持部材
２１、２２  ハーネス接続用コネクタ
２０１  係合部
３    メイン表示部
３１  表示部基板
３１１、３１２、３１３  コネクタ
３２  ディスプレイ部
４    左右のランプ表示部
４１  表示部基板
４１１  コネクタ
４２  発光ダイオード
５    装置カバー
５１  係合用爪部
５２  仕切り部
５３  窓部
５４１〜５４６  透光性部分
Ｂ１  押しボタン
Ｂ２  操作ボタン
Ｈ１〜Ｈ４  ハーネス
６    基板回動及び姿勢維持のための機構
６１  偏平軸
ａ    軸６１の側周面のうち平坦面
ｂ    軸６１の側周面のうち凸円弧面
６２  軸受け部
Ａ    軸回動用空間部
Ｂ    凹所
Ｃ    軸挿脱用通路
ｗ    凹所Ｂの幅
Ｐ１  基板２の正規取付け位置
Ｐ２  基板２の裏面露出位置
Ｐ３  基板２の裏面露出姿勢
１００  遊技機
１０１  遊技機上方部材
【図１】
2005124596.tif 000003
【図２】
2005124596.tif 000004
【図３】
2005124596.tif 000005
【図４】
2005124596.tif 000006
【図５】
2005124596.tif 000007
【図６】
2005124596.tif 000008